(57)【要約】【課題】  電池による給電システムであって、簡易な構成で電池を携帯端末装置に強固に保持させ、電源の瞬断を防止することを目的とする。【解決手段】  本発明における給電システムは、携帯端末装置１００と、携帯端末装置１００に接続して電力を供給する電池２００と、からなり、携帯端末装置１００と電池２００は、一方が、第１端子１３０と、磁性材料からなる金属部１４０と、を備え、他方が、第２端子２１０と、金属部１４０に対向して位置する永久磁石２２０と、を備え、電池２００は、少なくとも給電中に、永久磁石２２０と金属部１４０との磁力によって吸引保持されることを特徴としている。【選択図】    図３
2008182655.tif 000002
【特許請求の範囲】
【請求項１】
携帯端末装置と、該携帯端末装置に接続して電力を供給する電池と、からなる給電システムであって、
前記携帯端末装置と前記電池は、一方が、第１端子と、磁性材料からなる金属部と、を備え、他方が、第２端子と、前記金属部に対向して位置する永久磁石と、を備え、
前記電池は、少なくとも給電中に、前記永久磁石と前記金属部との磁力によって吸引保持されることを特徴とする、給電システム。
【請求項２】
前記第１端子と金属部とは、前記携帯端末装置に設けられ、
前記金属部には、コイルが巻回され、
前記電池を離脱する際、前記コイルと金属部とを電磁石として機能させ、前記永久磁石との反発力を生じさせることを特徴とする、請求項１に記載の給電システム。
【請求項３】
前記永久磁石は、前記第２端子を兼ねることを特徴とする、請求項２に記載の給電システム。
【請求項４】
前記第２端子は、前記永久磁石の携帯端末装置側に配置されていることを特徴とする、請求項２に記載の給電システム。
【請求項５】
前記第１端子と前記第２端子とは弾性力によって圧接することを特徴とする、請求項１〜４のいずれかに記載の給電システム。
【請求項６】
電池から電力を受電する携帯端末装置であって、
前記電池に設けられた電池側端子に当接する端末側端子と、
前記電池に設けられた永久磁石に対向し、磁性材料からなる金属部と、
を備え、
少なくとも給電中に、前記永久磁石と前記金属部との磁力によって前記電池を吸引保持することを特徴とする、携帯端末装置。
【請求項７】
携帯端末装置に電力を供給する電池であって、
前記携帯端末装置に設けられた端末側端子に当接する電池側端子と、
前記携帯端末装置に設けられた磁性材料からなる金属部に対向して位置する永久磁石と、
を備え、
少なくとも給電中に、前記金属部と前記永久磁石との磁力によって前記携帯端末装置に吸引保持されることを特徴とする、電池。
【請求項８】
携帯端末装置と、該携帯端末装置に接続して電力を供給する電池と、からなる給電システムであって、
前記携帯端末装置と前記電池は、一方が、第１端子と、第１の永久磁石と、を備え、他方が、第２端子と、前記第１の永久磁石に対向して位置する第２の永久磁石と、を備え、
前記電池は、少なくとも給電中に、前記第１の永久磁石と前記第２の永久磁石との磁力によって吸引保持されることを特徴とする、給電システム。
【請求項９】
前記第１端子と前記第１の永久磁石は前記携帯端末装置に設けられ、
前記第１の永久磁石は、該携帯端末装置の筐体に設けられた孔部に挿入された回転軸と一体に取り付けられ、
前記第２端子と前記第２の永久磁石は、前記電池に設けられていることを特徴とする、請求項８に記載の給電システム。
【請求項１０】
前記電池が給電中は前記第１の永久磁石は、
前記第２の永久磁石と異なる極性で対向して前記第１端子と前記第２端子とを吸引させ、
前記電池が給電を中止する際は、
前記回転軸が回転して前記第１の永久磁石は、前記第２の永久磁石と同じ極性で対向することにより前記電池を離脱させることを特徴とする請求項９に記載の給電システム。
【請求項１１】
電池から電力を受電する携帯端末装置であって、
前記電池に設けられた電池側端子に当接する端末側端子と、
前記電池に設けられた第２の永久磁石に対向する、第１の永久磁石と、
を備え、
少なくとも前記電池が給電中に、第１の永久磁石と前記第２の永久磁石と、の磁力によって前記電池を吸引保持することを特徴とする、携帯端末装置。
【発明の詳細な説明】
【技術分野】
【０００１】
本発明は、携帯端末装置に電力を給電する給電システム、携帯端末装置、および電池に関する。
【背景技術】
【０００２】
近年、携帯電話やＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）に代表される携帯端末装置の進歩はめざましく、軽量化、低コスト化が進んでいる。
【０００３】
このような背景から、携帯端末装置に利用される電池（２次電池）も小型で大容量のものが用いられるようになってきた。また、電力を携帯端末装置に供給するためのケーブルも、占有体積削減の観点から接点による接触方式に移行している。かかる接触方式は、電池着脱の作業効率を向上させ、電池交換を容易にさせる。
【０００４】
また、接触方式では、接点（端子）のいずれか一方に弾性をもたせ、両接点を圧接することで給電を維持している。しかし、かかる弾性は、経年により劣化し、接触片がへたってしまう問題がある。かかる接触片の問題を解消するため、接点方向への押圧力を接触片の弾性力に変え、両接点の接触を確実に維持する技術が開示されている（例えば、特許文献１）。
【特許文献１】特開平９−５５７８５号公報
【発明の開示】
【発明が解決しようとする課題】
【０００５】
しかし、弾性力を強めたところで、携帯端末装置を落下した場合には、衝突の衝撃により接点が瞬間的に外れてしまい電気的な瞬断が生じる。バックアップ電池を設けていない携帯端末装置では、このような瞬断により電源がリセットされ、場合によっては携帯端末装置の初期化が開始される場合もある。
【０００６】
従って、弾性力に加えて電池を強固に固定する手段が必要となるが、単純に電池を固定してしまうと、接触方式の利点である着脱の容易性を逸してしまい、また、掛止構造が携帯端末装置の軽量化の妨げとなる。
【０００７】
そこで、本発明者らは、掛止構造をとらずとも強い吸引力を得ることができる磁石に着目し、離脱しようとする力に対する保持力が弾性部材より非常に大きい磁石による保持構造を見出し、本発明を完成するに至った。
【０００８】
本発明は、従来の電池の取付構造が有する上記問題点に鑑みてなされたものであり、本発明の目的は、簡易な構成で電池を携帯端末装置に強固に保持させ、電源の瞬断を防止することが可能な、新規かつ改良された給電システム、携帯端末装置、および電池を提供することである。
【課題を解決するための手段】
【０００９】
上記課題を解決するために、本発明のある観点によれば、携帯端末装置と、携帯端末装置に接続して電力を供給する電池と、からなる給電システムであって、携帯端末装置と電池は、一方が、第１端子と、磁性材料からなる金属部と、を備え、他方が、第２端子と、金属部に対向して位置する永久磁石と、を備え、電池は、少なくとも給電中に、永久磁石と金属部との磁力によって吸引保持されることを特徴とする、給電システムが提供される。
【００１０】
磁石は、掛止等の物理的な固定構造なしで、強い吸引力を得ることができる。また、離脱に対する保持力が弾性部材より非常に優れている。かかる永久磁石と金属部との磁力により携帯端末装置と電池とを強固に吸引保持することが可能となり、落下等の衝撃を受けたとしても電源の瞬断を防止することができる。
【００１１】
第１端子と金属部とは、携帯端末装置に設けられ、金属部には、コイルが巻回され、電池を離脱する際、コイルと金属部とを電磁石として機能させ、永久磁石との反発力を生じさせてもよい。
【００１２】
上述したように永久磁石と金属部とにより携帯端末装置と電池との強固な吸引力を得ることができる。しかし、この吸引力は、意図的に電池を離脱する場合の妨げになり、接触方式の利点である着脱の容易性を下げてしまう。かかる電磁石を用いる構成により、携帯端末装置と電池との吸引力を反発力に変えることで、電池の保持が解除されるだけでなく、電池の離脱を促進する。従って、電池交換の容易性をさらに向上することができる。
【００１３】
永久磁石は、第２端子を兼ねてもよい。永久磁石は、伝導率は低いものの、それ自体に電気を通すことが可能である。ここでは、永久磁石が第２端子を兼ね、磁性体である第１端子に吸着することで端子間の接続をより強固に維持することが可能となる。
【００１４】
第２端子は、永久磁石の携帯端末装置側に配置されていてもよい。ここでは、永久磁石と第１端子とが吸引し、永久磁石の携帯端末装置側の第２端子が第１端子と強固に接続される。かかる構成により第１端子や第２端子の伝導率を維持しつつ、端子間の接続をより強固に維持することが可能となる。
【００１５】
第１端子と第２端子とは弾性力によって圧接してもよい。永久磁石と金属部との吸引には弾性が無いため、電池と携帯端末装置との位置は固定される。第１端子と第２端子との弾性力により、かかる電池と携帯端末装置との間隔の変動に拘わらず常時端子を圧接することが可能となる。
【００１６】
上記課題を解決するために、本発明の他の観点によれば、電池から電力を受電する携帯端末装置であって、電池に設けられた電池側端子に当接する端末側端子と、電池に設けられた永久磁石に対向し、磁性材料からなる金属部と、を備え、少なくとも給電中に、永久磁石と金属部との磁力によって電池を吸引保持することを特徴とする、携帯端末装置が提供される。
【００１７】
上記課題を解決するために、本発明の他の観点によれば、携帯端末装置に電力を供給する電池であって、携帯端末装置に設けられた端末側端子に当接する電池側端子と、携帯端末装置に設けられた磁性材料からなる金属部に対向して位置する永久磁石と、を備え、少なくとも給電中に、金属部と永久磁石との磁力によって携帯端末装置に吸引保持されることを特徴とする、電池が提供される。
【００１８】
上記課題を解決するために、本発明の他の観点によれば、携帯端末装置と、該携帯端末装置に接続して電力を供給する電池と、からなる給電システムであって、前記携帯端末装置と前記電池は、一方が、第１端子と、第１の永久磁石と、を備え、他方が、第２端子と、前記第１の永久磁石に対向して位置する第２の永久磁石と、を備え、前記電池は、少なくとも給電中に、前記第１の永久磁石と前記第２の永久磁石との磁力によって吸引保持されることを特徴とする、給電システムが提供される。
【００１９】
前記第１端子と前記第１の永久磁石は前記携帯端末装置に設けられ、前記第１の永久磁石は、該携帯端末装置の筐体に設けられた孔部に挿入された回転軸と一体に取り付けられ、前記第２端子と前記第２の永久磁石は、前記電池に設けられてもよい。
【００２０】
さらに、前記電池が給電中は前記第１の永久磁石は、前記第２の永久磁石と異なる極性で対向して前記第１端子と前記第２端子とを吸引させ、前記電池が給電を中止する際は、
前記回転軸が回転して前記第１の永久磁石は、前記第２の永久磁石と同じ極性で対向することにより前記電池を離脱させてもよい。
【００２１】
上記課題を解決するために、本発明の他の観点によれば、電池から電力を受電する携帯端末装置であって、前記電池に設けられた電池側端子に当接する端末側端子と、前記電池に設けられた第２の永久磁石に対向する、第１の永久磁石と、を備え、少なくとも前記電池が給電中に、第１の永久磁石と前記第２の永久磁石との磁力によって前記電池を吸引保持することを特徴とする、携帯端末装置が提供される。
【００２２】
上述した、給電システムの技術的思想に基づく構成要素やその説明は、当該携帯端末装置や電池にも適用可能である。
【発明の効果】
【００２３】
以上説明したように本発明の給電システムでは、磁石を用いた簡易な構成で電池を携帯端末装置に強固に保持させ、電源の瞬断を防止することが可能となる。
【発明を実施するための最良の形態】
【００２４】
以下に図面を参照しながら、本発明の好適な実施の形態について詳細に説明する。なお、本明細書及び図面において、実質的に同一の機能構成を有する構成要素については、同一の符号を付することにより重複説明を省略する。
【００２５】
（第１の実施形態）  
携帯電話やＰＨＳ等の携帯端末装置は、携帯可能な大きさに形成される。従って、有線を通じた電力の供給を受けることができず、携帯端末装置に装着される電池から電力の供給を受ける。本実施形態による受電システムの理解を容易にするため、まず、電池を装着する携帯端末装置の機能を説明する。
【００２６】
（携帯端末装置１００）  
図１は、携帯端末装置１００の概略的な機能を示した機能ブロック図である。携帯端末装置１００は、上述した携帯電話やＰＨＳの他に、ノート型パーソナルコンピュータ、ＰＤＡ（Ｐｅｒｓｏｎａｌ  Ｄｉｇｉｔａｌ  Ａｓｓｉｓｔａｎｔ）等の携帯可能な様々な電子機器で構成され、構成要素として、制御部１１０と、メモリ１１２と、表示部１１４と、操作部１１６と、音声入出力部１１８と、無線部１２０と、電池２００とを含んでいる。
【００２７】
上記制御部１１０は、中央処理装置（ＣＰＵ）を含む半導体集積回路により携帯端末装置１００全体を管理および制御する。制御部１１０は、メモリ１１２のプログラムを用いて、携帯端末装置１００を利用した通話機能やメール配信機能を遂行する。
【００２８】
上記メモリ１１２は、ＲＯＭ、ＲＡＭ、Ｅ２ＰＲＯＭ、不揮発性ＲＡＭ、フラッシュメモリ、ＨＤＤ等で構成され、制御部１１０で処理されるプログラム等を記憶する。
【００２９】
上記表示部１１４は、カラーまたはモノクロのディスプレイで構成され、メモリ１１２に記憶された、または通信網を介してアプリケーションサーバ（図示せず）から提供される、ＷｅｂブラウザやアプリケーションのＧＵＩ（Ｇｒａｐｈｉｃａｌ  Ｕｓｅｒ  Ｉｎｔｅｒｆａｃｅ）を表示することができる。
【００３０】
上記操作部１１６は、キーボード、十字キー、ジョイスティック等のスイッチから構成され、ユーザの操作入力を受け付ける。
【００３１】
上記音声入出力部１１８は、マイクやスピーカから構成され、通話時に入力されたユーザの音声を音声信号に変換し、また、通話相手の音声信号を音声に変えて出力する。また、着信音や操作部１１６による操作音、アラーム音等も出力できる。
【００３２】
上記無線部１２０は、携帯電話網における基地局３００と無線通信を行う。かかる無線通信としては、基地局３００内でフレームを時分割した複数のタイムスロットをそれぞれ携帯端末装置１００のチャネルに割り当てて通信を行う時分割多重方式等がある。
【００３３】
上記電池２００は、所定量の電力を蓄電し、携帯端末装置１００の上述した各要素に電力を供給する。かかる電池２００は、着脱可能に埋設されるが、通常時は蓋部で覆われているので目視できなくなっている。また、携帯端末装置１００では、電池２００を装着したままで、露呈する外部端子から電池２００に充電することもでき、通常時の電池の着脱はほとんど不要となっている。
【００３４】
このような無線通信システムでは、携帯端末装置１００によって他の携帯端末装置に電話しようと試みた場合、ユーザは、自己の携帯端末装置１００を操作して、無線通信可能領域にある基地局３００と無線通信を確立し、通信網、および、他の携帯端末装置の無線通信可能領域にある基地局を介して、対象となる携帯端末装置と音声通話を開始する。
【００３５】
（給電システム）  
図２は、携帯端末装置１００と電池２００との接続（装着）を示した外観図である。かかる図２を参照すると、電池２００には、電力を送るために用いられる３つ（電力用２つと制御用１つ）の電池側端子（第２端子）２１０と、その両端近辺に２つの永久磁石２２０とが設けられ、携帯端末装置１００には、電池側端子２１０と当接する端末側端子（第１端子）１３０と、永久磁石２２０に対向して位置する金属部１４０とが設けられている。
【００３６】
また、電池２００を携帯端末装置１００に装着する場合、携帯端末装置１００の嵌合凹部に電池２００を嵌設し、電池側端子２１０の反対側端面は携帯端末装置１００により掛止される。また、嵌合凹部横には、電池２００の離脱時に用いられるプッシュスイッチ１６０が設けられる。かかるプッシュスイッチ１６０の機能は後で詳述する。そして、電池２００の嵌設後、電池２００の露出面を蓋部１５０で覆い、電池２００の脱落を防止すると共に、不意にプッシュスイッチ１６０が押されるのを防止する。
【００３７】
図３は、電池２００と携帯端末装置１００との接続を説明するための説明図である。図３においては、電池側端子２１０と端末側端子１３０とが対向し、また、永久磁石２２０と金属部１４０とが対向している。
【００３８】
端末側端子１３０は端子溝１３２の案内により電池２００方向に可動自在であり、電池２００との接触端の他端には弾性部材、例えばバネ１３４が設けられ、当該端末側端子１３０が電池側端子２１０に当接させる。永久磁石２２０と金属部１４０との吸引には弾性が無いため、電池２００と携帯端末装置１００との位置は固定されてしまう。かかる端末側端子１３０の弾性力により、電池２００と携帯端末装置１００との間隔の変動に拘わらず常時端子を圧接することが可能となる。
【００３９】
また、端末側端子１３０周辺は凸部１３６が形成され、電池２００の凹部２１２と嵌合し易いようになっている。かかる嵌合による案内で、電池側端子２１０と端末側端子１３０とを容易に位置合わせすることができる。本実施形態では、電池側端子２１０と端末側端子１３０とが接触することで電池２００の電力が携帯端末装置１００に供給される。
【００４０】
金属部１４０は鉄（軟鉄）やフェライトといった磁性材料で形成される。図３に示すように、金属部１４０と永久磁石２２０とは対向配置されることから、その間には吸引力が生じる。金属部１４０と永久磁石２２０とは、その吸引力を最大に利用するために密着させるのが望ましいが、十分な吸引力を得ることができれば離隔していてもよい。ここで、軟鉄とは、炭素の含有率が低い（０．１％〜０．３％）の鉄を言う。
【００４１】
金属部１４０に対向配置される永久磁石２２０は、掛止等の物理的な固定構造なしで、金属部１４０との強い吸引力を起こすことができる。また、離脱に対する保持力も非常に優れている。そこで、永久磁石２２０に電池側端子２１０を、金属部１４０に端末側端子１３０を連動させることで、永久磁石２２０と金属部１４０との吸引力を電池側端子２１０と端末側端子１３０との吸引にも利用する。
【００４２】
従って、永久磁石２２０や金属部１４０は、電池側および端末側端子に近い位置、例えば、１０ｍｍ以内の位置に設けるのが望ましい。これは、永久磁石２２０や金属部１４０に近ければ近いほど、両者による吸引力の効果を得ることができるからである。かかる観点から、図３に示すように、電池側および端末側端子は、永久磁石２２０と金属部１４０との２つの組み合わせの間に配置されている。
【００４３】
このような磁力による簡易かつ低コストな構成で電池２００を携帯端末装置１００に強固に吸引保持することが可能となり、落下等の衝撃を受けたとしても電源の瞬断を防止することができる。
【００４４】
また、このような電池２００の装着に関しては、永久磁石２２０と金属部１４０とが逆に配されていてもよい。即ち、携帯端末装置１００側に永久磁石２２０が設けられ、電池２００側に金属部１４０が設けられてもよい。
【００４５】
携帯端末装置１００と電池２００とは、上述したように永久磁石２２０と金属部１４０との対向配置により強固な吸引力を得ることができる。しかし、この吸引力は、意図的に電池２００を離脱する場合には障害となってしまう。従って、接触方式の利点である着脱の容易性の低下を招く。
【００４６】
そこで、携帯端末装置の金属部１４０はコイルを巻回し、電池２００を離脱する際に、コイル１７０と金属部１４０とを電磁石として機能させ、永久磁石２２０との反発力を生じさせる。
【００４７】
図４は、電池２００と携帯端末装置１００との離脱を説明するための説明図である。図４においては、金属部１４０にはコイル１７０が巻回され、そのコイル１７０には、プッシュスイッチ１６０を含んで一定時間直流電流を流す閉回路が設けられている。
【００４８】
例えば、電池交換等の離脱作業が発生した場合、ユーザは、プッシュスイッチ１６０を押圧してコイル１７０に直流電流を流す。すると、金属部１４０が電磁石として機能し、金属部１４０の電池２００側端面には永久磁石の携帯端末装置１００側端面と同一の磁極（ここではＳ極）が生じる。従って、Ｓ極同士が反発し合い、電池２００には携帯端末装置１００から離脱する方向の力が加わる。
【００４９】
かかる電磁石を用いる構成により携帯端末装置１００と電池２００との吸引力を反発力に変えることが可能となり、電池２００の保持が解除されるだけでなく、電池２００の離脱をも促進する。従って、電池交換の容易性をさらに向上することができる。
【００５０】
ここで、電池の離脱のトリガとなるスイッチは、上述したプッシュスイッチ１６０以外にも、様々なスイッチを適用することができる。例えば、蓋部１５０の開閉に連動するスライドスイッチや、蓋部１５０の開閉による入光を検知する光センサをトリガにすることもできる。また、タッチセンサを用いたり、スパーク防止用のスイッチを当該トリガとしても機能させたりすることも可能である。いずれにしても作業者は、電池２００を離脱するタイミングに合わせて主体的に電磁石を動作させることが可能となる。
【００５１】
（第２の実施形態）  
第１の実施形態では、永久磁石２２０と電池側端子２１０とが別体に設けられていたが、第２の実施形態おいては、永久磁石２２０に電池側端子２１０の機能を兼ねさせ、一体的に機能させる、即ち、電池側端子２１０を永久磁石２２０で形成する構成を説明する。
【００５２】
図５は、永久磁石２２０を通じた給電を説明するための説明図である。図５においては、電池２００の出力が永久磁石２２０に直接接続され、永久磁石２２０が通電経路となり、対向する位置には、端末側端子１３０の機能も兼ねる金属部１４０が固定されている。従って、第１の実施形態おいて２種類の端子に分離していた吸引と電力供給の機能が本実施形態では統合され、永久磁石２２０と金属部１４０とに担わせている。
【００５３】
かかる構成では、永久磁石２２０と金属部１４０との吸引力で電池２００を保持できるので、第１の実施形態における端子間圧接のためのバネ１３４を設ける必要がなくなる。
【００５４】
永久磁石２２０は、それ自体に電気を通すことが可能な材質があり、上述したように永久磁石２２０が電池側端子２１０を兼ね、磁性体である金属部１４０に吸着することで端子間の接続をより強固に維持することが可能となる。
【００５５】
（第３の実施形態）  
第２の実施形態では、永久磁石２２０が電池側端子２１０を兼ねていたが、供給される電力（電流）が大きい場合、永久磁石２２０における電力損失が無視できない場合がある。特に本願が対象としている携帯端末装置１００は電池２００の容量が限られるため、無用な電力損失を抑制するのが望ましい。そこで、第３の実施形態では、永久磁石２２０と電池側端子２１０とを機能を分けつつ一体に形成する構成を説明する。
【００５６】
図６は、加工した電池側端子２１０を通じた給電を説明するための説明図である。図５においては、電池側端子２１０が永久磁石２２０の携帯端末装置１００側に配置され、この部分から携帯端末装置１００に給電を行う。従って、電池側端子２１０は、永久磁石２２０表面において、金やニッケルのメッキによって形成されてもよい。
【００５７】
ただし、受電側、即ち、携帯端末装置１００側の構成は、第２の実施形態と実質的に等しい構成をとっており、金属部１４０が端末側端子１３０を兼ね、金属部１４０によって電力を受電する。
【００５８】
かかる構成により電池側端子２１０の低い電気抵抗値を維持しつつ（電力損失を抑制しつつ）、１カ所の端子接続により端子間をより強固に吸引保持することが可能となる。
【００５９】
（第４の実施形態）    
第４の実施形態は、電池が取り付けられ給電している際には、電池側に備えられた永久磁石と携帯端末装置側に備えられた永久磁石との極性を互いに異なる極性にすることで電池と携帯端末装置とが互いに吸引し、電池を離脱させる際には、電池側に備えられた永久磁石と携帯端末装置側に備えられた永久磁石との極性を同じ極性にすることで電池を離脱させる実施形態である。
【００６０】
図７は第４の実施形態において、電池２００が携帯端末装置１００に装着されている様子を示している断面図である。
【００６１】
電池２００には、第１の実施形態と同様に電池側端子２１０（第２端子）と電池側の永久磁石２２０（第２の永久磁石）とが独立して設けられている（図２の電池２００を参照）。携帯端末装置１００側には、端末側端子１３０（図示せず）と携帯端末側の永久磁石３２０（第１の永久磁石）とが独立して設けられている。なお、電池２００は携帯端末装置１００側に設けられた位置決め用の突起等により所定の位置に配されるものであるとする。着脱部３４０は、携帯端末装置の使用者が電池２００を携帯端末装置１００に着けたりあるいは外したりする際に使用する操作部であり、電池２００側の永久磁石の数に一致する数量が備えられている。着脱部３４０は、永久磁石３２０とツマミ３００と回転軸３１０とから成り、永久磁石３２０は、ツマミ３００と一体となった回転軸３１０に、前記回転軸３１０の回転中心線を挟んで対称となる位置に異なる極性がそれぞれ配されるように取り付けられる。なお、前記回転軸３１０は、携帯端末装置１００の筐体に対しほぼ垂直に設けられた孔部３３０に挿入され、ツマミを回転させることにより回転軸３１０に取り付けられた永久磁石３２０が回転する。
【００６２】
電池２００が携帯端末装置１００に給電中は、携帯端末側の永久磁石３２０と電池側の永久磁石２２０のそれぞれの磁極が互いに異なる極性となるよう永久磁石３２０が回転軸３１０と一体で回転して電池２００と携帯端末装置１００とが互いに吸引し、電池側端子２１０と端末側端子１３０とが確実に当接する。このとき、回転軸３１０に一体のツメ部３５０が蓋部１５０に設けられた係合部３６０に引っかかることで蓋部１５０を固定する。
【００６３】
電池２００からの給電を中止するために電池２００を携帯端末装置１００から取り出す際には、電池２００と携帯端末装置１００とが互いに吸引していては電池２００を取り出すことが困難なため、図８に示すように、使用者はツマミ３００を適宜回転させることにより、回転軸３１０に取り付けられた携帯端末装置側の永久磁石３２０の電池側の極性（永久磁石２２０に対向する磁極の極性）と、電池側の永久磁石２２０の極性とを同じ極性にする。
【００６４】
この結果、携帯端末装置側の永久磁石３２０と電池側の永久磁石２２０とが互いに反発して電池２００を取り外すことができる。このとき、ツメ部３５０が係合部３６０からはずれ蓋部１５０が開けられるようになる。
【００６５】
このように第４の実施形態により、携帯端末装置側の永久磁石３２０が回転することにより、電池側端子２１０と端末側端子１３０とを確実に接触させることと、使用者が電池２００を楽に取り外すこととを両立させることができる。
【００６６】
以上説明したような第１〜４の実施形態によって、磁石を用いた簡易な構成で電池を携帯端末装置に強固に保持させ、電源の瞬断を防止することが可能となる。
【００６７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６８】
本発明は、携帯端末装置に電力を給電する給電システム、携帯端末装置、および電池に利用することができる。
【図面の簡単な説明】
【００６９】
【図１】携帯端末装置の概略的な機能を示した機能ブロック図である。
【図２】携帯端末装置と電池との接続を示した外観図である。
【図３】電池と携帯端末装置との接続を説明するための説明図である。
【図４】電池と携帯端末装置との離脱を説明するための説明図である。
【図５】永久磁石を通じた給電を説明するための説明図である。
【図６】加工した電池側端子を通じた給電を説明するための説明図である。
【図７】第４の実施形態において、電池２００が携帯端末装置１００に装着されている様子を示した図である。
【図８】第４の実施形態において、電池２００が携帯端末装置１００から外れる様子を示した図である。
【符号の説明】
【００７０】
１００  携帯端末装置（筐体）
１３０  端末側端子（第１端子）
１３４  バネ
１４０  金属部
１６０  プッシュスイッチ
１７０  コイル
２００  電池
２１０  電池側端子（第２端子）
２２０  永久磁石
３００  ツマミ
３１０  回転軸
３２０  端末装置側の永久磁石（第１の永久磁石）
３３０  孔部
３４０  着脱部
【図１】
2008182655.tif 000003
【図２】
2008182655.tif 000004
【図３】
2008182655.tif 000005
【図４】
2008182655.tif 000006
【図５】
2008182655.tif 000007
【図６】
2008182655.tif 000008
【図７】
2008182655.tif 000009
【図８】
2008182655.tif 000010